(57)【要約】【課題】フィルタのメンテナンス作業に要する手間が減りやすい新規な構成の電子機器を得る。【解決手段】電子機器１は、吸気口２ｒ（第一吸気口）が設けられた筐体２と、筐体２の外側に設けられ、吸気口２ｒを覆ったメインフィルタ１０（第一フィルタ）と、メインフィルタ１０よりも目の粗い第一部分２０ａを有し、メインフィルタ１０を吸気口２ｒとは反対側から覆ったプレフィルタ２０（第二フィルタ）と、を備える。【選択図】図１
2020161611.tif 000002
【特許請求の範囲】
【請求項１】
第一吸気口が設けられた筐体と、
前記筐体の外側に設けられ、前記第一吸気口を覆った第一フィルタと、
前記第一フィルタよりも目の粗い第一部分を有し、前記第一フィルタを前記第一吸気口とは反対側から覆った第二フィルタと、
を備えた、電子機器。
【請求項２】
前記第二フィルタは、前記第一フィルタの前記第二フィルタ側の第一面よりも大きい、請求項１に記載の電子機器。
【請求項３】
前記第二フィルタは、前記第一フィルタと目の粗さが同等かまたは前記第一フィルタよりも目の細かい第二部分を有した、請求項１または２に記載の電子機器。
【請求項４】
前記第一吸気口と重なる第二吸気口が設けられ、前記第二フィルタを前記第一フィルタとは反対側から覆ったカバー部材を備え、
前記第二部分は、前記第二吸気口を介して前記第一フィルタとは反対側に露出した、請求項３に記載の電子機器。
【請求項５】
前記第二部分は、前記第一部分および前記カバー部材の前記第二フィルタとは反対側の第二面のうち少なくとも一方と同系色である、請求項３または４に記載の電子機器。
【発明の詳細な説明】
【技術分野】
【０００１】
本発明は、電子機器に関する。
【背景技術】
【０００２】
従来、吸気口が設けられた筐体と、筐体の内側に設けられ、吸気口を覆ったフィルタ装置と、を備えた電子機器が、知られている（例えば、特許文献１参照）。
【先行技術文献】
【特許文献】
【０００３】
【特許文献１】特開２０１８−０２３９６０号公報
【発明の概要】
【発明が解決しようとする課題】
【０００４】
この種の電子機器では、例えば、フィルタのメンテナンス作業に要する手間が減りやすい新規な構成が得られれば、有益である。
【０００５】
そこで、本発明の課題の一つは、フィルタのメンテナンス作業に要する手間が減りやすい新規な構成の電子機器を得ることである。
【課題を解決するための手段】
【０００６】
本発明の第一態様にかかる電子機器は、第一吸気口が設けられた筐体と、前記筐体の外側に設けられ、前記第一吸気口を覆った第一フィルタと、前記第一フィルタよりも目の粗い第一部分を有し、前記第一フィルタを前記第一吸気口とは反対側から覆った第二フィルタと、を備える。
【０００７】
また、前記第二フィルタは、前記第一フィルタの前記第二フィルタ側の第一面よりも大きい。
【０００８】
また、前記第二フィルタは、前記第一フィルタと目の粗さが同等かまたは前記第一フィルタよりも目の細かい第二部分を有している。
【０００９】
また、前記第一吸気口と重なる第二吸気口が設けられ、前記第二フィルタを前記第一フィルタとは反対側から覆ったカバー部材を備え、前記第二部分は、前記第二吸気口を介して前記第一フィルタとは反対側に露出している。
【００１０】
また、前記第二部分は、前記第一部分および前記カバー部材の前記第二フィルタとは反対側の第二面のうち少なくとも一方と同系色である。
【発明の効果】
【００１１】
本発明の上記態様によれば、フィルタのメンテナンス作業に要する手間が減りやすい新規な構成の電子機器を得ることができる。
【図面の簡単な説明】
【００１２】
【図１】図１は、実施形態の電子機器の例示的な分解斜視図である。
【図２】図２は、実施形態の電子機器の第二フィルタの例示的な平面図である。
【図３】図３は、実施形態の電子機器の筐体およびカバー部材の例示的な正面図である。
【図４】図４は、第１変形例の電子機器の第二フィルタの例示的な平面図である。
【図５】図５は、第２変形例の電子機器の第二フィルタの例示的な平面図である。
【発明を実施するための形態】
【００１３】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１４】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１５】
［実施形態］
図１は、実施形態の電子機器１の分解斜視図である。図１に示されるように、電子機器１は、例えば、筐体２と、メインフィルタ１０と、メインフィルタカバー１１と、プレフィルタ２０と、プレフィルタカバー２１と、を備えている。電子機器１は、例えば、デスクトップ型の産業用コンピュータ（ＦＡパソコン）として構成されており、プレフィルタカバー２１が筐体２の前壁２ｃを覆った（塞いだ）状態で使用されうる。
【００１６】
なお、以下の説明では、便宜上、互いに直交する三方向が定義されている。Ｘ方向は、筐体２の奥行方向（前後方向）に沿うとともに、メインフィルタ１０およびプレフィルタ２０の厚さ方向に沿う。Ｙ方向は、筐体２の幅方向（左右方向）に沿うとともに、メインフィルタ１０およびプレフィルタ２０の横幅方向に沿う。Ｚ方向は、筐体２の高さ方向（上下方向）に沿うとともに、メインフィルタ１０およびプレフィルタ２０の縦幅方向に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される場合がある。
【００１７】
図１に示されるように、筐体２は、例えば、Ｙ方向に扁平な直方体状の箱型に構成されている。筐体２は、底壁２ａや、天壁２ｂ、前壁２ｃ、左壁２ｄ、後壁２ｅ、右壁２ｆ等の複数の壁部を有している。底壁２ａは、下壁とも称され、天壁２ｂは、上壁とも称される。また、前壁２ｃ、左壁２ｄ、後壁２ｅ、および右壁２ｆは、側壁や、周壁等とも称される。
【００１８】
底壁２ａおよび天壁２ｂは、いずれも、Ｚ方向と直交する方向（ＸＹ平面）に沿って延びており、Ｚ方向に間隔をあけて互いに平行に設けられている。底壁２ａは、筐体２の下端部を構成し、天壁２ｂは、筐体２の上端部を構成している。筐体２は、底壁２ａと机や、台、棚等の設置面１００（図１，３参照）との間に介在されたスタンド装置７によって、縦置きの状態で支持されている。
【００１９】
図１に示されるように、左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、底壁２ａおよび天壁２ｂのＹ方向の端部の間に亘り、右壁２ｆは、底壁２ａおよび天壁２ｂのＹ方向の反対方向の端部の間に亘っている。左壁２ｄは、筐体２の左端部を構成し、右壁２ｆは、筐体２の右端部を構成している。
【００２０】
また、左壁２ｄおよび後壁２ｅには、それぞれ、排気口２ｓが設けられている。排気口２ｓは、例えば、左壁２ｄおよび後壁２ｅを貫通する複数の小孔が集まった部分として構成されている。排気口２ｓは、不図示の冷却ファン等によって筐体２内の発熱部品と熱交換を行った空気流Ｗを筐体２外に排出可能である。
【００２１】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、底壁２ａおよび天壁２ｂのＸ方向の端部の間に亘り、後壁２ｅは、底壁２ａおよび天壁２ｂのＸ方向の反対方向の端部の間に亘っている。前壁２ｃは、筐体２の前端部を構成し、後壁２ｅは、筐体２の後端部を構成している。前壁２ｃには、光学ドライブ３や、電源ボタン４、コネクタ５等が設けられている。
【００２２】
また、前壁２ｃには、凹部２ｈが設けられている。凹部２ｈは、前壁２ｃのＸ方向の前面２ｃ１からＸ方向の反対方向に凹んでいる。凹部２ｈには、メインフィルタカバー１１がメインフィルタ１０と一体化された状態で収容される。凹部２ｈは、前面２ｃ１において、光学ドライブ３や、電源ボタン４、コネクタ５等とＺ方向の反対方向にずれて位置されている。
【００２３】
また、凹部２ｈの底部には、吸気口２ｒが設けられている。吸気口２ｒは、例えば、凹部２ｈの底部をＸ方向に貫通する複数の小孔２ｒ１が集まった部分として構成されている。吸気口２ｒは、後述するプレフィルタ２０やメインフィルタ１０等によって空気中の塵埃が除去された空気流Ｗを筐体２内に導入可能である。吸気口２ｒは、第一吸気口の一例である。
【００２４】
メインフィルタ１０は、例えば、空気中の塵埃を捕集する所定のメッシュサイズを有した防塵フィルタとして構成されている。メインフィルタ１０は、Ｘ方向の前面１０ａと、Ｘ方向の反対方向の後面１０ｂと、を有している。前面１０ａは、メインフィルタカバー１１と面し、後面１０ｂは、吸気口２ｒと面する。メインフィルタ１０は、第一フィルタの一例であり、前面１０ａは、第一面の一例である。
【００２５】
メインフィルタ１０は、凹部２ｈの底部に沿って延びた四角形状の板状に構成されている。本実施形態では、メインフィルタ１０の大きさは、凹部２ｈの底部の大きさと略同じに設定されている。これにより、吸気口２ｒの略全域がメインフィルタ１０の後面１０ｂによって覆われている。メインフィルタ１０は、例えば、ポリウレタン等の樹脂材料によって構成されている。
【００２６】
メインフィルタカバー１１は、例えば、底壁１１ａと、底壁１１ａの周縁部に設けられた周壁１１ｂと、を有している。メインフィルタカバー１１には、底壁１１ａおよび周壁１１ｂによって囲まれ、Ｘ方向の反対方向に向けて開放された凹部１１ｃが設けられている。凹部１１ｃには、メインフィルタ１０が収容される。メインフィルタ１０は、例えば、結合具や、フック部、テープ等によって凹部１１ｃ内に固定（保持）される。
【００２７】
また、メインフィルタカバー１１には、フック部１１ｄが設けられ、凹部２ｈの底部には、フック部１１ｄが貫通する開口部２ｉが設けられている。メインフィルタカバー１１と前壁２ｃ（筐体２）とは、これらフック部１１ｄの爪と開口部２ｉの縁部との引っ掛かりによる所謂スナップフィットによって互いに着脱可能に結合されている。
【００２８】
また、底壁１１ａには、通気口１１ｅが設けられている。通気口１１ｅは、例えば、底壁１１ａをＸ方向に貫通する複数の小孔が集まった部分として構成されている。通気口１１ｅは、メインフィルタ１０とプレフィルタ２０との間に位置され、吸気口２ｒおよびプレフィルタカバー２１の吸気口２１ｅとＸ方向に重なっている（並んでいる）。
【００２９】
プレフィルタ２０は、メインフィルタ１０のＸ方向、すなわち吸気口２ｒとは反対側に位置されている。プレフィルタ２０は、例えば、空気中の塵埃を捕集する所定のメッシュサイズを有した防塵フィルタとして構成され、メインフィルタ１０の開口率よりも大きな開口率を有している。プレフィルタ２０は、Ｘ方向の前面２０ｃと、Ｘ方向の反対方向の後面２０ｄと、を有する。前面２０ｃは、プレフィルタカバー２１と面し、後面２０ｄは、メインフィルタカバー１１と面する。プレフィルタ２０は、第二フィルタの一例である。
【００３０】
プレフィルタ２０は、メインフィルタ１０に沿って延びた四角形状の板状に構成されている。本実施形態では、プレフィルタ２０の大きさは、底壁１１ａの大きさ、すなわちメインフィルタ１０の前面１０ａ大きさよりも大きく設定されている。これにより、前面１０ａの略全域が底壁１１ａを介してプレフィルタ２０によって覆われている。プレフィルタ２０は、例えば、ポリウレタン等の樹脂材料によって構成されている。なお、プレフィルタ２０は、メインフィルタ１０とは異なる材料によって構成されてもよい。
【００３１】
プレフィルタカバー２１は、例えば、底壁２１ａと、底壁２１ａの周縁部に設けられた周壁２１ｂと、を有している。プレフィルタカバー２１には、底壁２１ａおよび周壁２１ｂによって囲まれ、Ｘ方向の反対方向に向けて開放された凹部２１ｃが設けられている。凹部２１ｃには、プレフィルタ２０が収容される。プレフィルタ２０は、例えば、結合具や、フック部、テープ等によって凹部２１ｃ内に固定（保持）される。
【００３２】
また、プレフィルタカバー２１には、前壁２ｃとＸ方向に引っ掛かる不図示の引掛部が設けられている。プレフィルタカバー２１は、メインフィルタカバー１１と同様に、引掛部の爪の引っ掛かりによる所謂スナップフィットによって前壁２ｃ（筐体２）と着脱可能に結合されている。なお、プレフィルタカバー２１は、この例には限定されず、例えば、前壁２ｃにＺ方向に延びる回転中心を有したヒンジを介して回転可能（開閉可能）に接続されてもよい。
【００３３】
また、底壁２１ａには、吸気口２１ｅが設けられている。吸気口２１ｅは、例えば、底壁２１ａをＸ方向に貫通する複数の小孔２１ｅ１（図３参照）が集まった部分として構成されている。本実施形態では、吸気口２１ｅの大きさ（開口領域）は、プレフィルタ２０の大きさよりも大きく設定されている。吸気口２１ｅは、第二吸気口の一例である。小孔２１ｅ１は、ハニカム構造等とも称される。
【００３４】
なお、プレフィルタカバー２１は、この例には限定されず、例えば、プレフィルタ２０と略同じ大きさに構成され、光学ドライブ３（図１参照）や、電源ボタン４、コネクタ５等がＸ方向に露出していてもよい。
【００３５】
図２は、プレフィルタ２０の平面図である。図２に示されるように、プレフィルタ２０は、例えば、第一部分２０ａと、第二部分２０ｂと、を有している。第二部分２０ｂは、プレフィルタ２０の略中心部に位置された部分であり、メインフィルタ１０の一部を覆っている。第一部分２０ａは、第二部分２０ｂの周縁部に位置された部分であり、メインフィルタ１０（図１参照）の少なくとも一部を覆っている。なお、図１では、便宜上、第二部分２０ｂは、図示省略されている。
【００３６】
図２に示されるように、第一部分２０ａには、前面２０ｃと後面２０ｄとをＸ方向に貫通したスリット状の開口部２０ｅが設けられている。開口部２０ｅは、Ｘ方向の視線では、略Ｘ字状に構成されている。第一部分２０ａは、例えば、メインフィルタ１０に対して目の粗さ（メッシュサイズ）が約１．２倍〜２倍程度のフィルタによって構成されている。第一部分２０ａは、第三フィルタ等とも称される。
【００３７】
第二部分２０ｂは、例えば、開口部２０ｅに係合あるいは嵌合すること等によって第一部分２０ａと一体化されている。第二部分２０ｂは、Ｘ方向の視線では、開口部２０ｅに沿った略Ｘ字状である。第二部分２０ｂは、プレフィルタ２０のＸ方向の両側に露出しており、第一部分２０ａとともに前面２０ｃおよび後面２０ｄの一部を構成している。そして、本実施形態では、第二部分２０ｂは、メインフィルタ１０と目の粗さ（メッシュサイズ）が同等のフィルタによって構成されている。第二部分２０ｂは、第四フィルタ等とも称される。
【００３８】
図３は、電子機器１の筐体２およびプレフィルタカバー２１の正面図である。図３に示されるように、本実施形態では、プレフィルタ２０の前面２０ｃは、吸気口２１ｅを介してプレフィルタカバー２１のＸ方向、すなわちメインフィルタ１０とは反対側に露出している。
【００３９】
プレフィルタ２０は、第一部分２０ａによって当該第一部分２０ａの目の粗さよりも大きな塵埃を捕集可能であり、第二部分２０ｂによって当該第二部分２０ｂの目の粗さよりも大きな塵埃を捕集可能である。本実施形態では、第一部分２０ａの目の粗さと第二部分２０ｂの目の粗さとが互いに異なるため、第二部分２０ｂに微細な塵埃が捕集されると、当該塵埃が第二部分２０ｂに沿った略Ｘ字状に浮かび上がってくる。
【００４０】
ここで、第二部分２０ｂの目詰まり具合（程度）は、Ｘ方向の視線で第二部分２０ｂの周縁部に位置されるメインフィルタ１０の領域、すなわちメインフィルタ１０のうち第二部分２０ｂとＸ方向に重ならない領域の目詰まり具合と略同じである。よって、作業者は、吸気口２１ｅを介して第二部分２０ｂの目詰まり具合を確認することにより、プレフィルタ２０に隠れたメインフィルタ１０の目詰まり具合をより容易に確認することができる。すなわち、第二部分２０ｂは、メインフィルタ１０の目詰まり具合を示すインジケータとして機能する。
【００４１】
また、本実施形態では、第二部分２０ｂは、第一部分２０ａおよびプレフィルタカバー２１のＸ方向の前面２１ａ１と同系色で構成されている。第二部分２０ｂの色は、例えば、黒や、灰色、白等の種々の色から適宜設定されうる。なお、第二部分２０ｂの色は、捕集される塵埃の色とは別の色に設定されると塵埃がより目立つため好ましい。前面２１ａ１は、第二面の一例である。
【００４２】
以上のように、本実施形態では、電子機器１は、吸気口２ｒ（第一吸気口）が設けられた筐体２と、筐体２の外側に設けられ、吸気口２ｒを覆ったメインフィルタ１０（第一フィルタ）と、メインフィルタ１０よりも目の粗い第一部分２０ａを有し、メインフィルタ１０を吸気口２ｒとは反対側（Ｘ方向）から覆ったプレフィルタ２０（第二フィルタ）と、を備える。
【００４３】
このような構成によれば、例えば、プレフィルタ２０によって第一部分２０ａの目の粗さ（メッシュサイズ）よりも大きな塵埃を捕集できるため、当該塵埃によってメインフィルタ１０が目詰まりするのを抑制できる。よって、例えば、メインフィルタ１０の寿命が延びやすく、ひいてはメインフィルタ１０の交換作業の頻度が低減してメンテナンス作業に要する手間が減りやすい。
【００４４】
また、本実施形態では、プレフィルタ２０は、メインフィルタ１０のプレフィルタ２０側の前面１０ａ（第一面）よりも大きい。
【００４５】
このような構成によれば、例えば、プレフィルタ２０によって前面１０ａを略全域に亘って覆いやすくなり、ひいてはメインフィルタ１０の目詰まりがより一層抑制されやすい。
【００４６】
また、本実施形態では、プレフィルタ２０は、メインフィルタ１０と目の粗さが同等の第二部分２０ｂを有している。
【００４７】
このような構成によれば、例えば、プレフィルタ２０によって第二部分２０ｂの目の粗さ（メッシュサイズ）よりも大きな塵埃を捕集できるため、当該塵埃によってメインフィルタ１０が目詰まりするのを抑制できる。
【００４８】
また、本実施形態では、電子機器１は、吸気口２ｒとＸ方向に重なる吸気口２１ｅ（第二吸気口）が設けられ、プレフィルタ２０をメインフィルタ１０とは反対側から覆ったプレフィルタカバー２１（カバー部材）を備え、第二部分２０ｂは、吸気口２１ｅを介してメインフィルタ１０とは反対側（Ｘ方向）に露出している。
【００４９】
このような構成によれば、例えば、作業者は、吸気口２１ｅを介して第二部分２０ｂの目詰まり具合（程度）を確認することにより、プレフィルタ２０よりも筐体２側に隠れたメインフィルタ１０の目詰まり具合をより容易に確認することができる。よって、例えば、メインフィルタ１０のメンテナンス作業に要する手間がより一層低減されやすい。
【００５０】
また、本実施形態では、第二部分２０ｂは、第一部分２０ａおよびプレフィルタカバー２１のプレフィルタ２０とは反対側の前面２１ａ１（第二面）と同系色である。
【００５１】
このような構成によれば、例えば、第二部分２０ｂに捕集された塵埃がより目立ちやすくなるため、第二部分２０ｂひいてはメインフィルタ１０の目詰まり具合（程度）を、より一層容易に確認することができる。
【００５２】
［第１変形例］
図４は、第１変形例の電子機器１Ａのプレフィルタ２０Ａの平面図である。電子機器１Ａは、上記実施形態の電子機器１と同様の構成を備えている。よって、電子機器１Ａは、当該同様の構成に基づく上記実施形態と同様の作用および効果を得ることができる。
【００５３】
ただし、本変形例では、図４に示されるように、プレフィルタ２０Ａの第二部分２０ｂがリング状（円環状）に構成されている点が、上記実施形態と相違している。第二部分２０ｂは、例えば、リング状の開口部２０ｅに係合あるいは嵌合すること等によって第一部分２０ａと一体化されている。
【００５４】
また、本変形例では、第二部分２０ｂは、例えば、メインフィルタ１０（図１参照）よりも目の粗さ（メッシュサイズ）が細かいフィルタによって構成されている。第二部分２０ｂは、第五フィルタ等とも称される。よって、本変形例によれば、例えば、第二部分２０ｂを利用して目詰まり具合（程度）を確認することにより、メインフィルタ１０が目詰まりした状態（臨界点を越えた状態）で使用されるのがより確実に抑制されうる。
【００５５】
［第２変形例］
図５は、第２変形例の電子機器１Ｂのプレフィルタ２０Ｂの平面図である。電子機器１Ｂは、上記実施形態の電子機器１と同様の構成を備えている。よって、電子機器１Ｂは、当該同様の構成に基づく上記実施形態と同様の作用および効果を得ることができる。
【００５６】
ただし、本変形例では、図５に示されるように、プレフィルタ２０Ｂが吸気口２１ｅ（図１，３参照）に沿って延びている点が、上記実施形態と相違している。プレフィルタ２０Ｂの大きさは、吸気口２１ｅの大きさと略同じに設定されており、吸気口２１ｅの略全域がプレフィルタ２０の前面２０ｃによって覆われている。
【００５７】
よって、本変形例によれば、例えば、プレフィルタ２０Ｂによって、空気中に含まれる塵埃がコネクタ５（図１参照）等を介して筐体２の内部に侵入するのがより一層抑制されやすい。
【００５８】
また、図５に示されるように、本変形例では、第二部分２０ｂが四角形状に構成されている。本変形例では、第二部分２０ｂに塵埃が捕集されると、当該塵埃が第二部分２０ｂに沿った四角形状に浮かび上がってくる。なお、第二部分２０ｂの形状は、この例には限定されず、種々に変更可能である。
【００５９】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６０】
１，１Ａ，１Ｂ…電子機器、２…筐体、２ｒ…吸気口（第一吸気口）、１０…メインフィルタ（第一フィルタ）、１０ａ…前面（第一面）、２０，２０Ａ，２０Ｂ…プレフィルタ（第二フィルタ）、２０ａ…第一部分、２０ｂ…第二部分、２１…プレフィルタカバー（カバー部材）、２１ａ１…前面（第二面）。
【図１】
2020161611.tif 000003
【図２】
2020161611.tif 000004
【図３】
2020161611.tif 000005
【図４】
2020161611.tif 000006
【図５】
2020161611.tif 000007
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
第一吸気口が設けられた筐体と、
前記筐体の外側に設けられ、前記第一吸気口を覆った第一フィルタと、
前記第一フィルタよりも目の粗い第一部分と、前記第一フィルタと目の粗さが同等かまたは前記第一フィルタよりも目の細かい第二部分と、を有し、前記第一フィルタを前記第一吸気口とは反対側から覆った第二フィルタと、
を備え、
前記第一部分には、開口部が設けられ、
前記第二部分は、前記開口部に入れられた、
電子機器。
【請求項２】
前記第二フィルタは、前記第一フィルタの前記第二フィルタ側の第一面よりも大きい、請求項１に記載の電子機器。
【請求項３】
前記第一吸気口と重なる第二吸気口が設けられ、前記第二フィルタを前記第一フィルタとは反対側から覆ったカバー部材を備え、
前記第二部分は、前記第二吸気口を介して前記第一フィルタとは反対側に露出した、請求項１または２に記載の電子機器。
【請求項４】
前記第二部分は、前記第一部分および前記カバー部材の前記第二フィルタとは反対側の第二面のうち少なくとも一方と同系色である、請求項３に記載の電子機器。
【手続補正２】
【補正対象書類名】明細書
【補正対象項目名】０００６
【補正方法】変更
【補正の内容】
【０００６】
本発明の第一態様にかかる電子機器は、第一吸気口が設けられた筐体と、前記筐体の外側に設けられ、前記第一吸気口を覆った第一フィルタと、前記第一フィルタよりも目の粗い第一部分と、前記第一フィルタと目の粗さが同等かまたは前記第一フィルタよりも目の細かい第二部分と、を有し、前記第一フィルタを前記第一吸気口とは反対側から覆った第二フィルタと、を備え、前記第一部分には、開口部が設けられ、前記第二部分は、前記開口部に入れられている。
【手続補正３】
【補正対象書類名】明細書
【補正対象項目名】０００８
【補正方法】削除
【補正の内容】
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
第一吸気口が設けられた筐体と、
前記筐体の外側に設けられ、前記第一吸気口を覆った第一フィルタと、
前記第一フィルタよりも目の粗い第一部分と、前記第一フィルタと目の粗さが同等かまたは前記第一フィルタよりも目の細かい第二部分と、を有し、前記第一フィルタを前記第一吸気口とは反対側から覆い、樹脂材料によって構成された板状の第二フィルタと、
を備え、
前記第一部分には、開口部が設けられ、
前記第二部分は、前記開口部に係合あるいは嵌合して前記第一部分と一体化された、
電子機器。
【請求項２】
前記第二フィルタは、前記第一フィルタの前記第二フィルタ側の第一面よりも大きい、請求項１に記載の電子機器。
【請求項３】
前記第一吸気口と重なる第二吸気口が設けられ、前記第二フィルタを前記第一フィルタとは反対側から覆ったカバー部材を備え、
前記第二部分は、前記第二吸気口を介して前記第一フィルタとは反対側に露出した、請求項１または２に記載の電子機器。
【請求項４】
前記第二部分は、前記第一部分および前記カバー部材の前記第二フィルタとは反対側の第二面のうち少なくとも一方と同系色である、請求項３に記載の電子機器。
【手続補正２】
【補正対象書類名】明細書
【補正対象項目名】０００６
【補正方法】変更
【補正の内容】
【０００６】
本発明の第一態様にかかる電子機器は、第一吸気口が設けられた筐体と、前記筐体の外側に設けられ、前記第一吸気口を覆った第一フィルタと、前記第一フィルタよりも目の粗い第一部分と、前記第一フィルタと目の粗さが同等かまたは前記第一フィルタよりも目の細かい第二部分と、を有し、前記第一フィルタを前記第一吸気口とは反対側から覆い、樹脂材料によって構成された板状の第二フィルタと、を備え、前記第一部分には、開口部が設けられ、前記第二部分は、前記開口部に係合あるいは嵌合して前記第一部分と一体化されている。